【手続補正書】
【提出日】平成18年6月23日(2006.6.23)
【手続補正１】
【補正対象書類名】明細書
【補正対象項目名】特許請求の範囲
【補正方法】変更
【補正の内容】
【特許請求の範囲】
【請求項１】
昇降路の所定経路を昇降するかごと、
上記昇降路の内壁及び上記かごの間の空隙に配置されたつり合おもりと、
上記昇降路の上端部に枢着されて上記かご及びつり合おもりのそれぞれに対応して設けられた転向滑車と、
上記かご及び上記つり合おもりを吊持して上記昇降路内に配置され、上記転向滑車に巻掛けられて上記かご寄り側及びつり合おもり寄り側における鉛直方向から水平方向に転向して張設された主索と、
上記昇降路の上端部に装着され上記転向滑車の下端よりも上方に配置されると共に、鉛直軸線を介して枢持された駆動綱車に上記転向滑車からの上記主索が巻掛けられた巻上機と
を備えたエレベーター装置。
【請求項２】
昇降路の所定経路を昇降するかごと、
上記昇降路の内壁及び上記かごの間の空隙に配置されたつり合おもりと、
上記昇降路の上端部に枢着されて上記かご及びつり合おもりのそれぞれに対応して設けられた転向滑車と、
上記かご及び上記つり合おもりを吊持して上記昇降路内に配置され、上記転向滑車に巻掛けられて上記かご寄り側及びつり合おもり寄り側における鉛直方向から水平方向に転向して張設された主索と、
上記昇降路の上端部に装着されると共に、鉛直軸線を介して上方を向いて枢持された駆動綱車に上記転向滑車からの上記主索が巻掛けられた巻上機と
を備えたエレベーター装置。
【請求項３】  巻上機を、かごの上面に形成された引退面に対応した位置に配置したことを特徴とする請求項１又は請求項２に記載のエレベーター装置。
【請求項４】  巻上機を、上記巻上機の下面から下方に突出して設けられて、かごの縁部と昇降路の内壁との隙間内に配置された駆動電動機を有するものとしたことを特徴とする請求項１から請求項３のいずれか一つに記載のエレベーター装置。
【請求項５】  昇降路の天井下面位置に鉛直軸線によって枢着されて、駆動綱車と転向滑車の間の主索を上記昇降路の内壁面に沿う方向に張設するそらせ車を備えたことを特徴とする請求項１から請求項４のいずれか一つに記載のエレベーター装置。
【請求項６】  駆動綱車を、昇降路の天井下面に側面を対面させて巻上機の上部に設置したことを特徴とする請求項１から請求項５のいずれか一つに記載のエレベーター装置。
【請求項７】  巻上機の水平投影面における少なくとも一部を、かごと重合して配置したことを特徴とする請求項１から請求項６のいずれか一つに記載のエレベーター装置。
【手続補正２】
【補正対象書類名】明細書
【補正対象項目名】０００８
【補正方法】変更
【補正の内容】
【０００８】
【課題を解決するための手段】
この発明に係るエレベーター装置においては、昇降路の所定経路を昇降するかごと、昇降路の内壁及びかごの間の空隙に配置されたつり合おもりと、昇降路の上端部に枢着されてかご及びつり合おもりのそれぞれに対応して設けられた転向滑車と、かご及びつり合おもりを吊持して昇降路内に配置され、転向滑車に巻掛けられてかご寄り側及びつり合おもり寄り側における鉛直方向から水平方向に転向して張設された主索と、昇降路の上端部に装着され転向滑車の下端よりも上方に配置されると共に、鉛直軸線を介して枢持された駆動綱車に転向滑車からの主索が巻掛けられた巻上機とが設けられる。
また、この発明に係るエレベーター装置においては、昇降路の所定経路を昇降するかごと、昇降路の内壁及びかごの間の空隙に配置されたつり合おもりと、昇降路の上端部に枢着されてかご及びつり合おもりのそれぞれに対応して設けられた転向滑車と、かご及びつり合おもりを吊持して昇降路内に配置され、転向滑車に巻掛けられてかご寄り側及びつり合おもり寄り側における鉛直方向から水平方向に転向して張設された主索と、昇降路の上端部に装着されると共に、鉛直軸線を介して上方を向いて枢持された駆動綱車に転向滑車からの主索が巻掛けられた巻上機とが設けられる。
【手続補正３】
【補正対象書類名】明細書
【補正対象項目名】００３８
【補正方法】変更
【補正の内容】
【００３８】
【発明の効果】
この発明は以上説明したように、昇降路の所定経路を昇降するかごと、昇降路の内壁及びかごの間の空隙に配置されたつり合おもりと、昇降路の上端部に枢着されてかご及びつり合おもりのそれぞれに対応して設けられた転向滑車と、かご及びつり合おもりを吊持して昇降路内に配置され、転向滑車に巻掛けられてかご寄り側及びつり合おもり寄り側における鉛直方向から水平方向に転向して張設された主索と、昇降路の上端部に装着され転向滑車の下端よりも上方に配置されると共に、鉛直軸線を介して枢持された駆動綱車に転向滑車からの主索が巻掛けられた巻上機とを設けたものである。
また、この発明は以上説明したように、昇降路の所定経路を昇降するかごと、昇降路の内壁及びかごの間の空隙に配置されたつり合おもりと、昇降路の上端部に枢着されてかご及びつり合おもりのそれぞれに対応して設けられた転向滑車と、かご及びつり合おもりを吊持して昇降路内に配置され、転向滑車に巻掛けられてかご寄り側及びつり合おもり寄り側における鉛直方向から水平方向に転向して張設された主索と、昇降路の上端部に装着されると共に、鉛直軸線を介して上方を向いて枢持された駆動綱車に転向滑車からの主索が巻掛けられた巻上機とを設けたものである。
【手続補正４】
【補正対象書類名】明細書
【補正対象項目名】００３９
【補正方法】変更
【補正の内容】
【００３９】
これによって、昇降路の上端部に巻上機が装着され、またかご側転向滑車及びつり合おもり側転向滑車が、かごの縁部と昇降路の内壁との隙間内に配置される。このため、建物における最上階の階高に相当した高さに形成された昇降路に巻上機を装着し、かつ主索を張設することができる。したがって、建物における最上階の階高よりも昇降路の天井下面を高くする必要がなく、エレベーター装置の設置スペースのために要する建築費を節減する効果がある。
【手続補正５】
【補正対象書類名】明細書
【補正対象項目名】００４１
【補正方法】変更
【補正の内容】
【００４１】
これによって、昇降路の上端部に巻上機が装着されると共に、巻上機がかごの上面に形成された引退面に対応した位置に配置される。また、かご側転向滑車及びつり合おもり側転向滑車が、かごの縁部と昇降路の内壁との隙間内に配置される。このため、建物における最上階の階高に相当した高さに形成された昇降路に巻上機を装着し、かつ主索を張設することができる。したがって、かごの上方の昇降路上部におけるスペースを一層有効に利用することができ、建物における最上階の階高よりも昇降路の天井下面を高くする必要がなく、エレベーター装置の設置スペースのために要する建築費を節減する効果がある。
【手続補正６】
【補正対象書類名】明細書
【補正対象項目名】００４３
【補正方法】変更
【補正の内容】
【００４３】
これによって、昇降路の上端部に巻上機が装着され、また巻上機の下面から下方に突出して設けられた駆動電動機がかごの縁部と昇降路の内壁との隙間内に配置される。また、かご側転向滑車及びつり合おもり側転向滑車が、かごの縁部と昇降路の内壁との隙間内に配置される。このため、建物における最上階の階高に相当した高さに形成された昇降路に巻上機を装着し、かつ主索を張設することができる。したがって、建物における最上階の階高よりも昇降路の天井下面を高くする必要がなく、エレベーター装置の設置スペースのために要する建築費を節減する効果がある。
【手続補正７】
【補正対象書類名】明細書
【補正対象項目名】００４５
【補正方法】変更
【補正の内容】
【００４５】
これによって、昇降路の上端部に巻上機が装着され、またかご側転向滑車及びつり合おもり側転向滑車が、かごの縁部と昇降路の内壁との隙間内に配置される。このため、建物における最上階の階高に相当した高さに形成された昇降路に巻上機を装着し、かつ主索を張設することができる。したがって、建物における最上階の階高よりも昇降路の天井下面を高くする必要がなく、エレベーター装置の設置スペースのために要する建築費を節減する効果がある。
【手続補正８】
【補正対象書類名】明細書
【補正対象項目名】００４８
【補正方法】変更
【補正の内容】
【００４８】
これによって、昇降路の上端部に巻上機が装着され、またかご側転向滑車及びつり合おもり側転向滑車が、かごの縁部と昇降路の内壁との隙間内に配置される。このため、建物における最上階の階高に相当した高さに形成された昇降路に巻上機を装着し、かつ主索を張設することができる。したがって、建物における最上階の階高よりも昇降路の天井下面を高くする必要がなく、エレベーター装置の設置スペースのために要する建築費を節減する効果がある。また、巻上機上部に駆動綱車が配置されるので、巻上機の本体を回避した状態でのかごの最上昇位置を高くすることができる。このため、昇降路上端部におけるスペースを有効利用することができ、昇降路の構築費を節減する効果がある。
【手続補正９】
【補正対象書類名】明細書
【補正対象項目名】００５０
【補正方法】変更
【補正の内容】
【００５０】
これによって、昇降路の上端部に巻上機が装着され、またかご側転向滑車及びつり合おもり側転向滑車が、かごの縁部と昇降路の内壁との隙間内に配置される。このため、建物における最上階の階高に相当した高さに形成された昇降路に巻上機を装着し、かつ主索を張設することができる。したがって、建物における最上階の階高よりも昇降路の天井下面を高くする必要がなく、エレベーター装置の設置スペースのために要する建築費を節減する効果がある。また、水平投影面において、巻上機の少なくとも一部がかごと重合して配置されるので、昇降路の水平投影面におけるスペースを有効利用することができ、昇降路の構築費を節減する効果がある。